(57)【要約】【課題】太陽光パネル設置構造の簡素化及び設置工事の容易化を図ることができる太陽光パネル取付技術を提供する。【解決手段】太陽光パネル取付構造１００は、複数の太陽光パネル設置具１０を当該太陽光パネル設置具１０の支持部材１１，１２が対向する方向に隣り合うように所定間隔を置いて設置面Ｇに配置し、隣り合う太陽光パネル設置具１０の間に配置された太陽光パネルＳの一方の辺縁部Ｐ１を一方の太陽光パネル設置具１０の低位側のパネル取付部１３に固定し、一方の辺縁部Ｐ１と対向する他方の辺縁部Ｐ２を他方の太陽光パネル設置具１０の高位側のパネル取付部１４に固定することによって構築されている。【選択図】図１
2015177682.tif 000002
【特許請求の範囲】
【請求項１】
設置面上に起立可能な状態で対向配置された支持部材と、前記支持部材が対向する方向に高低差を設けて配置された複数のパネル取付部と、前記支持部材を前記設置面に着脱可能に固定するため前記支持部材に形成された固定手段と、を有する設置具本体と、
前記設置具本体のパネル取付部に太陽光パネルを固定するためのパネル係止手段と、を備えたことを特徴とする太陽光パネル設置具。
【請求項２】
前記パネル係止手段として、前記パネル取付部上に載置される太陽光パネルの辺縁部を前記パネル取付部に押圧する押圧部材と、前記押圧部材を前記設置具本体に締め付けるネジ機構と、を設けた請求項１記載の太陽光パネル設置具。
【請求項３】
前記押圧部材が、複数の前記パネル取付部上にそれぞれ載置される太陽光パネルの辺縁部を並行して押圧可能である請求項２記載の太陽光パネル設置具。
【請求項４】
前記設置面に配置されるブロック体を前記支持部材の間に着脱可能に挟持するため前記支持部材の間隔を変更する拡縮手段を設けた請求項１〜３のいずれかに記載の太陽光パネル設置具。
【請求項５】
前記固定手段として、前記支持部材の下縁に前記設置面と平行に延出した固定片と、前記固定片を貫通して前記設置面に嵌入されるアンカ部材と、を設けた請求項１〜４のいずれかに記載の太陽光パネル設置具。
【請求項６】
前記設置具本体及び前記押圧部材が平板材に曲げ加工を施して形成された請求項２〜５のいずれかに記載の太陽光パネル設置具。
【請求項７】
前記請求項１〜６のいずれかに記載の複数の太陽光パネル設置具を当該太陽光パネル設置具の支持部材が対向する方向に隣り合うように所定間隔を置いて設置面に配置し、隣り合う前記太陽光パネル設置具の間に配置された太陽光パネルの一方の辺縁部を一方の前記太陽光パネル設置具の低位側のパネル取付部に固定し、一方の前記辺縁部と対向する他方の辺縁部を他方の前記太陽光パネル設置具の高位側のパネル取付部に固定したことを特徴とする太陽光パネル設置構造。
【発明の詳細な説明】
【技術分野】
【０００１】
本発明は、太陽光発電設備において太陽光パネルを設置面に設置する際に使用する太陽光パネル設置具及びこれを用いた太陽光パネル設置構造に関する。
【背景技術】
【０００２】
近年、メガソーラー発電システムなどが注目を集め、様々な規模の太陽光発電設備が各地で構築されている。太陽光発電設備においては、広大な土地に太陽光発電機能を有するパネルが多数設置されており、太陽光パネルの設置技術についても様々なものが提案されているが、本発明に関連するものとして、例えば、特許文献１記載の「太陽電池パネルの設置構造、並びに、太陽電池パネル設置架台」などがある。
【０００３】
特許文献１記載の「太陽電池パネルの設置構造」は、太陽電池パネルを固定するため高さの異なる二つの固定部（上側固定部及び下側固定部）を有する長尺の太陽電池パネル支持架台を地面上などに間隔を空けて配列し、組をなす太陽電池パネル支持架台のうちの一方の下側固定部と、他方の上側固定部とにそれぞれ太陽電池パネルを取り付けるというものである。
【先行技術文献】
【特許文献】
【０００４】
【特許文献１】特開２０１３−２１４５６４号公報
【発明の概要】
【発明が解決しようとする課題】
【０００５】
比較的規模の大きな太陽光発電システムにおいては多数の太陽光パネルが使用されるので、これらの太陽光パネルを設置するために多種多様の資材や部品を必要とするだけでなく、その個数も多大である。太陽光パネル設置構造が複雑で、太陽光パネルを設置するための資材や部品の個数が多い場合、これらの資材や部品を設置現場に搬入する手間が増大するだけでなく、設置工事に要する時間も増大するので、太陽光パネル設置構造の簡素化及び太陽光パネル設置に要する部品点数の削減は大きなテーマである。
【０００６】
一方、特許文献１記載の「太陽電池パネルの設置構造、並びに、太陽電池パネル設置架台」は、大規模な太陽光発電システムを形成した場合であっても、メンテナンス作業などの各種作業を容易に実施可能である点においては優れているが、太陽電池パネル設置架台の形状が複雑であり、その構成部品の点数も多いので、太陽光パネル設置構造の簡素化を図ることは困難である。
【０００７】
本発明が解決しようとする課題は、太陽光パネル設置構造の簡素化及び設置工事の容易化を図ることができる太陽光パネル設置技術を提供することにある。
【課題を解決するための手段】
【０００８】
本発明の太陽光パネル設置具は、設置面上に起立可能な状態で対向配置された支持部材と、前記支持部材が対向する方向に高低差を設けて配置された複数のパネル取付部と、前記支持部材を前記設置面に固定するため前記支持部材に形成された固定手段と、を有する設置具本体と、
前記設置具本体のパネル取付部に太陽光パネルを着脱可能に係止するためのパネル係止手段と、を備えたことを特徴とする。
【０００９】
このような構成を有する太陽光パネル設置具は、対向配置された支持部材によって当該太陽光パネル設置具自体を設置面上に起立状態に支持することができ、隣り合って配置される太陽光パネルを複数のパネル取付部にて段違い状態に支持するとともにパネル係止手段で固定することができるので、一つの部材で、設置面への固定機能及び隣り合って配置される複数の太陽光パネルを傾斜状態に支持する機能の両方を兼備したものとなる。従って、部品点数が大幅に削減され、太陽光パネル設置構造の簡素化及び設置工事の容易化を図ることができる。
【００１０】
ここで、前記パネル係止手段として、前記パネル取付部上に載置される太陽光パネルの辺縁部を前記パネル取付部に押圧する押圧部材と、前記押圧部材を前記設置具本体に締め付けるネジ機構と、を設けることができる。
【００１１】
このような構成とすれば、シンプルな機構でありながら、太陽光パネルを確実に固定することができる。また、汎用工具で太陽光パネルの固定作業を行うことができるので、作業性も良好である。
【００１２】
この場合、前記押圧部材が、複数の前記パネル取付部上にそれぞれ載置される複数の太陽光パネルの辺縁部を並行して押圧可能であることが望ましい。
【００１３】
このような構成とすれば、一つの押圧部材で複数の太陽光パネルの辺縁部を同時に固定することができるので、部品点数が低減され、太陽光パネル設置構造の簡素化及び設置工事の容易化に有効である。
【００１４】
また、前記設置面に配置されるブロック体を前記支持部材の間に着脱可能に挟持するため前記支持部材の間隔を変更する拡縮手段を設けることができる。
【００１５】
このような構成とすれば、設置面に配置されるブロック体に対する着脱作業を容易化することができる。
【００１６】
さらに、前記固定手段として、前記支持部材の下縁に前記設置面と略平行に延出した固定片と、前記固定片を貫通して前記設置面に嵌入されるアンカ部材と、を設けることができる。
【００１７】
このような構成とすれば、簡素な構造でありながら、確実な固定を行うことができ、固定作業も容易である。
【００１８】
一方、前記設置具本体及び前記押圧部材は平板材に曲げ加工を施して形成することができる。
【００１９】
このような構成とすれば、太陽光パネル設置具の製造工程の簡素化を図ることができ、量産化も容易となる。
【００２０】
次に、本発明の太陽光パネル設置構造は、複数の太陽光パネル設置具を当該太陽光パネル設置具の支持部材が対向する方向に隣り合うように所定間隔を置いて設置面に配置し、隣り合う前記太陽光パネル設置具の間に配置された太陽光パネルの一方の辺縁部を一方の前記太陽光パネル設置具の低位側のパネル取付部に固定し、一方の前記辺縁部と対向する他方の辺縁部を他方の前記太陽光パネル設置具の高位側のパネル取付部に固定したことを特徴とする。
【００２１】
このような構成とすれば、簡素な構造で、設置工事が容易であり、耐久性にも優れた太陽光パネル設置構造を得ることができる。
【発明の効果】
【００２２】
本発明により、太陽光パネル設置構造の簡素化及び設置工事の容易化を図ることができる太陽光パネル設置技術を提供することができる。
【図面の簡単な説明】
【００２３】
【図１】本発明の実施形態である太陽光パネル設置具を用いた太陽光パネル設置構造を示す一部省略側面図である。
【図２】図１中の矢線Ａ方向から見た太陽光パネル設置構造を示す一部省略平面図である。
【図３】図１に示す太陽光パネル設置構造の一部省略分解側面図である
【図４】図１に示す太陽光パネル設置構造の一部省略平面図である。
【図５】図１に示す太陽光パネル設置構造の矢線Ｂ方向の端部付近を示す一部省略側面図である。
【図６】図１に示す太陽光パネル設置構造の矢線Ｃ方向の端部付近を示す一部省略側面図である。
【発明を実施するための形態】
【００２４】
図１〜図６に基づいて、本発明の実施形態である太陽光パネル設置具１０を用いた太陽光パネル設置構造１００について説明する。図１，図２に示すように、太陽光パネル取付構造１００は、複数の太陽光パネル設置具１０を当該太陽光パネル設置具１０の支持部材１１，１２が対向する方向に隣り合うように所定間隔を置いて設置面Ｇに配置し、隣り合う太陽光パネル設置具１０の間に配置された太陽光パネルＰの一方の辺縁部Ｐ１を一方の太陽光パネル設置具１０の低位側のパネル取付部１３に固定し、一方の辺縁部Ｐ１と対向する他方の辺縁部Ｐ２を他方の太陽光パネル設置具１０の高位側のパネル取付部１４に固定することによって構築されている。
【００２５】
太陽光パネル設置具１０は、設置面Ｇ上に起立可能な状態で対向配置された一対の支持部材１１，１２と、支持部材１１，１２が対向する方向に間隔をおいて且つ高低差を設けた状態で配置された複数のパネル取付部１３，１４と、支持部材１１，１２を設置面Ｇに着脱可能に固定するため支持部材１１，１２に形成された固定手段１５，１６と、を有する設置具本体２０、並びに、設置具本体２０のパネル取付部１３，１４上に載置される太陽光パネルＰを着脱可能に固定するためのパネル係止手段３０と、を備えている。
【００２６】
固定手段１５，１６として、支持部材１１，１２の下縁に設置面Ｇと略平行に延出した固定片１１ａ，１２ａと、固定片１１ａ，１２ａを貫通して設置面Ｇに嵌入されたアンカ部材１７，１８と、が設けられている。
【００２７】
パネル係止手段３０として、パネル取付部１３，１４上に載置される太陽光パネルＰの辺縁部Ｐ１，Ｐ２をパネル取付部１３，１４に押圧する断面略ひ字状の押圧部材３１と、押圧部材３１を設置具本体２０に締め付けるネジ機構３２（ボルト３２ａ及びナット３２ｂ）と、が設けられている。押圧部材３１は、水平方向に間隔をおいて且つ段違い状態をなしている複数のパネル取付部１３，１４上にそれぞれ載置される複数の太陽光パネルＰの辺縁部Ｐ１，Ｐ２を並行して押圧可能である。
【００２８】
支持部材１１，１２は、設置面Ｇに配置されるブロック体３５を挟持可能な状態に対向する挟持部１１ｂ，１２ｂと、挟持部１１ｂ，１２ｂの上方に挟持部１１ｂ，１２ｂ間の距離より狭い間隔で対向する起立部１１ｃ，１２ｃと、起立部１１ｃ，１２ｃの上方にてＸ状に交わる交差部１１ｄ，１２ｄと、交差部１１ｄ，１２ｄの先端側にそれぞれ連設されたパネル取付部１４，１３と、を備えている。また、交差部１１ｄ，１２ｄが互いに交差した交差領域２０ｘを下方から上方に向けて鉛直に貫通した状態でボルト３２ａが固定されている。ボルト３２ａは、その頭部３２ｃを、交差部１１ｄ，１２ｄの交差領域２０ｘの下側に水平に固定された固定部材３３に固着することによって起立姿勢に保持されている。交差領域２０ｘを含んで交差部１１ｄ，１２ｄからパネル取付部１３，１４に至る部分の断面形状は略ひ字状をなしている。
【００２９】
設置面Ｇに配置されるブロック体３５を、支持部材１１，１２の挟持部１１ｂ，１２ｂ間に着脱可能に把持するために、支持部材１１，１２の間隔を変更する拡縮手段であるネジ機構１９（ボルト１９ａ及びナット１９ｂ）が設けられている。ボルト１９ａは、支持部材１１，１２の起立部１１ｃ，１２ｃを対向方向に水平に貫通して取り付けられ、挟持部１１ｃから外側に突出するボルト１９ａの先端部にナット１９ｂが螺着されている。設置具本体２０及び押圧部材３１は平板材の一つであるステンレス鋼板に曲げ加工を施して形成されているが、その材質や製造方法は限定しない。
【００３０】
次に、図１，図５に基づいて、図１に示す太陽光パネル設置構造１００の矢線Ｂ方向の端部付近の構造について説明する。図５に示すように太陽光パネル設置構造１００の矢線Ｂ方向の端部付近には、太陽光パネルＰの高位側（勾配の上位側）の辺縁部Ｐ２を支持する太陽光パネル設置具４０が配置されている。
【００３１】
太陽光パネル設置具４０は、設置面Ｇ上に起立可能な状態で対向配置された二つの支持部材４１，４２と、支持部材４１の頂上に設けられたパネル取付部４３と、支持部材４１を設置面Ｇに着脱可能に固定するため支持部材４１に形成された固定手段４５と、支持部材４１，４２を互いに係合させるネジ機構５２（ボルト５２ａ及びナット５２ｂ）と、を有する設置具本体５０、及び、支持部材４１のパネル取付部４３上に載置される太陽光パネルＰの辺縁部Ｐ２を着脱可能に固定するためのパネル係止手段４８と、を備えている。
【００３２】
支持部材４１，４２は、側面視形状が階段形状の部材であり平板材の一つであるステンレス鋼板を折り曲げて形成されている。パネル係止手段４８は、パネル取付部４３上に載置された太陽光パネルＰの辺縁部Ｐ２を押圧する側面視形状が略Ｗ形状の押圧部材４９と、押圧部材４９を設置具本体５０に着脱可能に固定するネジ機構５１（ボルト５１ａ及びナット５１ｂ）とで形成されている。
【００３３】
太陽光パネル設置具４０の固定手段４５として、支持部材４１の下縁に設置面Ｇと略平行に延出した固定片４１ａと、固定片４１ａを貫通して設置面Ｇに嵌入されたアンカ部材４７と、が設けられている。
【００３４】
支持部材４１，４２は、設置面Ｇに配置されるブロック体３５を挟持可能な状態に対向する挟持部４１ｂ，４２ｂと、挟持部４１ｂ，４２ｂの上方に挟持部４１ｂ，４２ｂ間の距離より狭い間隔で対向する起立部４１ｃ，４２ｃと、起立部４１ｃの上方を傾斜状に折り曲げて形成されたパネル取付部４３と、を備えている。挟持部４２ｂの下縁は設置面Ｇから離れた状態にあり、起立部４２ｃの上方を支持部材４１の起立部４１ｃ側へ折り曲げることにより、起立部４１ｃ，４２ｃ間の距離を一定に保つための係合部４２ｄが形成されている。パネル取付部４３の傾斜角度及びパネル取付部４３の高さ（固定片４１ａからパネル取付部４３までの高さ）などは、図１に示す太陽光パネル設置具１０の高位側のパネル取付部１４と同等である。
【００３５】
また、設置面Ｇに配置されるブロック体３５を、支持部材４１，４２の挟持部４１ｂ，４２ｂ間に着脱可能に把持するために、支持部材４１，４２同士を係合するネジ機構５２（ボルト５２ａ及びナット５２ｂ）が設けられている。ボルト５２ａは、支持部材４１，４２の起立部４１ｃ，４２ｃを対向方向に水平に貫通して取り付けられ、起立部４１ｃから外側に突出するボルト５２ａの先端部にナット５２ｂが螺着されている。
【００３６】
次に、図１，図６に基づいて、図１に示す太陽光パネル設置構造１００の矢線Ｃ方向の端部付近の構造について説明する。図６に示すように太陽光パネル設置構造１００の矢線Ｃ方向の端部付近には、太陽光パネルＰの低位側（勾配の下位側）の辺縁部Ｐ１を支持する太陽光パネル設置具６０が配置されている。
【００３７】
太陽光パネル設置具６０は、設置面Ｇ上に起立可能な状態で対向配置された二つの支持部材６１，６２と、支持部材６２の頂上に設けられたパネル取付部６３と、支持部材６２を設置面Ｇに着脱可能に固定するため支持部材６２に形成された固定手段６６と、を有する設置具本体７０、及び、支持部材６２のパネル取付部６３上に載置される太陽光パネルＰの辺縁部Ｐ１を着脱可能に固定するためのパネル係止手段６８と、を備えている。
【００３８】
支持部材６１，６２は、側面視形状が階段形状の部材であり平板材の一つであるステンレス鋼板を折り曲げて形成されている。パネル係止手段６８は、パネル取付部６３上に載置された太陽光パネルＰの辺縁部Ｐ１を押圧する側面視形状が略Ｗ形状の押圧部材６９と、押圧部材６９を設置具本体７０に着脱可能に固定するネジ機構７１（ボルト７１ａ及びナット７１ｂ）とで形成されている。
【００３９】
太陽光パネル設置具６０の固定手段６６として、支持部材６２の下縁に設置面Ｇと略平行に延出した固定片６２ａと、固定片６２ａを貫通して設置面Ｇに嵌入されたアンカ部材６８と、が設けられている。
【００４０】
支持部材６１，６２は、設置面Ｇに配置されたブロック体３５を挟持可能な状態に対向する挟持部６１ｂ，６２ｂと、挟持部６１ｂ，６２ｂの上方に挟持部６１ｂ，６２ｂ間の距離より狭い間隔で対向する起立部６１ｃ，６２ｃと、起立部６２ｃの上方を傾斜状に折り曲げて形成されたパネル取付部６３と、を備えている。挟持部６１ｂの下縁は設置面Ｇから離れた状態にあり、起立部６１ｃの上方を支持部材６２の起立部６２ｃ側へ折り曲げることにより、起立部６１ｃ，６２ｃ間の距離を一定に保つための係合部６１ｄが形成されている。パネル取付部６３の傾斜角度及びパネル取付部６３の高さ（固定片６１ａ，６２ａからパネル取付部６３までの高さ）などは、図１に示す太陽光パネル設置具１０の低位側のパネル取付部１３と同等である。
【００４１】
また、設置面Ｇに配置されるブロック体３５を、支持部材６１，６２の挟持部６１ｂ，６２ｂ間に着脱可能に把持するために、支持部材６１，６２同士を係合するネジ機構７２（ボルト７２ａ及びナット７２ｂ）が設けられている。ボルト７２ａは、支持部材６１，６２の起立部６１ｃ，６２ｃを対向方向に水平に貫通して取り付けられ、起立部６１ｃから外側に突出するボルト７２ａの先端部にナット７２ｂが螺着されている。
【００４２】
図１に示すように、太陽光パネル設置構造１００を構成する太陽光パネル設置具１０は、対向配置された支持部材１１，１２によって当該太陽光パネル設置具１０自体を設置面Ｇ上に起立状態に支持することができ、隣り合って配置される複数の太陽光パネルＰを複数のパネル取付部１３，１４において段違い状態に支持するとともにパネル係止手段３０で固定することができる。従って、太陽光パネル設置具１０は、一つの部材で、設置面Ｇへの固定機能及び隣り合って配置される複数の太陽光パネルＰを傾斜状態に支持する機能の両方を兼備したものとなる。このため、太陽光パネル設置構造１００は部品点数が大幅に削減され、簡素化及び設置工事の容易化を図ることができる。
【００４３】
太陽光パネル設置具１０においては、パネル係止手段３０として、パネル取付部１３，１４上に載置される太陽光パネルＰの辺縁部Ｐ１，Ｐ２をパネル取付部１３，１４に押圧する押圧部材３１と、押圧部材３１を設置具本体２０に締め付けるネジ機構３２と、を設けている。これにより、シンプルな機構でありながら、太陽光パネルＰを確実に固定することができる。また、汎用工具で太陽光パネルＰの固定作業を行うことができるので、作業性も良好である。
【００４４】
この場合、押圧部材３１は、図３に示すように取り付けられるので、複数のパネル取付部１３，１４上にそれぞれ載置される複数の太陽光パネルＰの辺縁部Ｐ１，Ｐ２を並行して押圧可能である。このため、一つの押圧部材３１で複数の太陽光パネルＰの辺縁部Ｐ１，Ｐ２を同時に固定することができ、部品点数が低減され、太陽光パネル設置構造１００の簡素化及び設置工事の容易化に有効である。また、隣り合う太陽光パネルＰの辺縁部Ｐ１，Ｐ２は、それぞれパネル取付部１３，１４により、支持部材１１，１２の対向方向に間隔をおいて且つ段違い状に固定されているので、低位側の辺縁部Ｐ１付近に高位側の辺縁部Ｐ２付近による日影が生じるのを回避することができる。なお、パネル取付部１３，１４の対向間隔及び高低差は、太陽光パネルＰの設置現場の条件に応じて任意に定めることができる。
【００４５】
また、設置面Ｇに配置されるブロック体３５を支持部材１１，１２の間に着脱可能に挟持するため支持部材１１，１２の間隔を変更する拡縮手段としてネジ機構１９（ボルト１９ａ及びナット１９ｂ）が設けられているため、設置面Ｇに配置されるブロック体３５に対する着脱作業を容易化することができる。
【００４６】
さらに、支持部材１１，１２を設置面Ｇに着脱可能に固定するため固定手段１５，１６として、支持部材１１，１２の下縁に設置面Ｇと略平行に延出した固定片１１ａ，１２ａと、固定片１１ａ，１２ａを貫通して設置面Ｇに嵌入されるアンカ部材１７，１８と、が設けられているため、簡素な構造でありながら、確実な固定を行うことができ、固定作業も容易である。
【００４７】
一方、太陽光パネル設置具１０の設置具本体２０及び押圧部材３１は平板材の一つであるステンレス鋼板に曲げ加工を施して形成されているため、太陽光パネル設置具１０の製造工程の簡素化を図ることができ、量産化も容易である。
【００４８】
また、図１に示す太陽光パネル設置構造１００は、複数の太陽光パネル設置具１０を当該太陽光パネル設置具１０の支持部材１１，１２が対向する方向に隣り合うように所定間隔を置いて設置面Ｇに配置し、隣り合う太陽光パネル設置具１０の間に配置された太陽光パネルＰの一方の辺縁部Ｐ１を一方の太陽光パネル取付具１０の低位側のパネル取付部１３に固定し、一方の辺縁部Ｐ１と対向する他方の辺縁部Ｐ２を他方の太陽光パネル取付具１０の高位側のパネル取付部１４に固定することによって構築されている。このため、太陽光パネル設置構造１００は、簡素な構造であり、設置工事も容易であり、耐久性にも優れている。
【００４９】
さらに、図２に示すように、太陽光パネル設置構造１００において、複数配列された太陽光パネルＰの高位側の辺縁部Ｐ２及び低位側の辺縁部Ｐ１がそれぞれ直線状に並ぶ部分においては、断面が略コ字状をした金属製の連結部材３６で辺縁部Ｐ１同士（辺縁部Ｐ２同士）が把持した状態で連結されている。これにより、隣り合う太陽光パネルＰ間の不陸調整を行うことができる。また、連結部材３６は導電性を有するので、隣り合う太陽光パネルＰのフレーム同士が電気的に導通した状態となり、太陽光パネル設置構造１００のアースをとる上で有効である。
【００５０】
なお、図１〜図６に基づいて説明した太陽光パネル取付具１０及び太陽光パネル取付構造１００などは本発明の一例を示すものであり、本発明に係る太陽光パネル取付具及び太陽光パネル取付構造は、前述した実施形態に限定されない。
【産業上の利用可能性】
【００５１】
本発明に係る太陽光パネル取付具及び太陽光パネル取付構造は、太陽光発電設備における太陽光パネルの取付手段として広く利用することができる。
【符号の説明】
【００５２】
１０，４０，６０  太陽光パネル設置具
１１，１２，４１，４２，６１，６２  支持部材
１１ａ，１２ａ，４１ａ，６２ａ  固定片
１１ｂ，１２ｂ，４１ｂ，４２ｂ，６１ｂ，６２ｂ  挟持部
１１ｃ，１２ｃ，４１ｃ，４２ｃ，６１ｃ，６２ｃ  起立部
１３，１４，４３，６３  パネル取付部
１５，１６，４５，６６  固定手段
１７，１８，４７，６８  アンカ部材
１９，３２，５１，５２，７１，７２  ネジ機構
１９ａ，３２ａ，５１ａ，５２ａ，７１ａ，７２ａ  ボルト
１９ｂ，３２ｂ，５１ｂ，５２ｂ，７１ｂ，７２ｂ  ナット
２０，５０，７０  設置具本体
２０ｘ  交差領域
３０，４８，６８  パネル係止手段
３１，４９，６９  押圧部材
３３  固定部材
３５  ブロック体
３６  連結部材
４２ｄ，６１ｄ  係合部
１００  太陽光パネル設置構造
Ｇ  設置面
Ｐ  太陽光パネル
Ｐ１，Ｐ２  辺縁部
【図１】
2015177682.tif 000003
【図２】
2015177682.tif 000004
【図３】
2015177682.tif 000005
【図４】
2015177682.tif 000006
【図５】
2015177682.tif 000007
【図６】
2015177682.tif 000008